(57)【要約】【課題】画像転写後の記録材の搬送方向が曲がっていることにより生ずる画像歪みの発生を防止する。【解決手段】感光体や中間転写体などの像担持体上の画像を転写装置で用紙・ＯＨＰフィルム等の記録材に転写して後、その画像転写後の記録材を搬送して定着装置４０に入れ、その定着装置の定着ニップに通して転写画像を記録材に定着する画像形成装置において、画像転写後の記録材の、曲がっている記録材搬送方向を定着装置で戻すように矯正する搬送方向矯正装置Ａを備える。搬送方向矯正装置としては、画像形成装置本体に対して定着装置の取り付け角度を調整可能としたり、定着装置本体に対して、定着ニップを形成する定着ニップ形成部材の取り付け角度を調整可能としたり、画像転写後の記録材を定着ニップへと案内する定着装置の記録材搬送ガイドの取り付け角度を調整可能としたりするものを備える。【選択図】図３
2007193087.tif 000002
【特許請求の範囲】
【請求項１】
像担持体上の画像を転写装置で記録材に転写して後、その画像転写後の記録材を搬送して定着装置に入れ、その定着装置の定着ニップに通して転写画像を記録材に定着する画像形成装置において、
前記画像転写後の記録材の、曲がっている記録材搬送方向を前記定着装置で矯正する搬送方向矯正装置を備えることを特徴とする画像形成装置。
【請求項２】
前記転写装置として、前記像担持体に接触して転写ニップを形成する転写ローラを用いることを特徴とする、請求項１に記載の画像形成装置。
【請求項３】
前記転写ニップよりも、前記定着ニップの記録材保持力の方を大きくすることを特徴とする、請求項２に記載の画像形成装置。
【請求項４】
前記転写ローラよりも、前記定着ニップを形成する定着ニップ形成部材の線速を遅くすることを特徴とする、請求項２または３に記載の画像形成装置。
【請求項５】
画像転写後の記録材を縦方向上方に向けて搬送して前記定着装置に入れることを特徴とする、請求項１ないし４のいずれか１に記載の画像形成装置。
【請求項６】
前記定着装置で画像定着後の記録材を排出する胴内排紙スタック部を備えることを特徴とする、請求項５に記載の画像形成装置。
【請求項７】
前記搬送方向矯正装置として、画像形成装置本体に対して前記定着装置の取り付け角度を調整可能とするものを備えることを特徴とする、請求項１ないし６のいずれか１に記載の画像形成装置。
【請求項８】
前記定着装置側の部材を調整して、前記画像形成装置本体に対して前記定着装置の取り付け角度を調整可能とするものを備えることを特徴とする、請求項７に記載の画像形成装置。
【請求項９】
前記定着装置側の部材として、定着装置本体に対して位置調整自在に組み付ける定着側位置決め部材を備え、前記定着装置を前記画像形成装置本体に対して取り付けるとき前記定着側位置決め部材の位置決め係合部と前記画像形成装置本体の位置決め係合部を係合して前記定着装置を位置決めすることを特徴とする、請求項８に記載の画像形成装置。
【請求項１０】
前記画像形成装置本体側の部材を調整して、前記画像形成装置本体に対して前記定着装置の取り付け角度を調整可能とするものを備えることを特徴とする、請求項７に記載の画像形成装置。
【請求項１１】
前記画像形成装置本体側の部材として、位置調整自在に組み付ける本体側位置決め部材を備え、前記定着装置を前記画像形成装置本体に対して取り付けるとき前記本体側位置決め部材の位置決め係合部と前記定着装置の位置決め係合部を係合して前記定着装置を位置決めすることを特徴とする、請求項１０に記載の画像形成装置。
【請求項１２】
前記搬送方向矯正装置として、定着装置本体に対して、前記定着ニップを形成する定着ニップ形成部材の取り付け角度を調整可能とするものを備えることを特徴とする、請求項１ないし６のいずれか１に記載の画像形成装置。
【請求項１３】
前記定着装置本体の部材を調整して、前記定着装置本体に対して前記定着ニップ形成部材の取り付け角度を調整可能とするものを備えることを特徴とする、請求項１２に記載の画像形成装置。
【請求項１４】
前記定着装置本体の部材として、前記定着装置本体に対して位置調整自在に組み付ける位置調整部材を備え、その位置調整部材で前記定着ニップ形成部材の軸受を保持することを特徴とする、請求項１３に記載の画像形成装置。
【請求項１５】
前記搬送方向矯正装置として、画像転写後の記録材を前記定着ニップへと案内する前記定着装置の記録材搬送ガイドの取り付け角度を調整可能とするものを備えることを特徴とする、請求項１ないし６のいずれか１に記載の画像形成装置。
【請求項１６】
前記記録材搬送方向と直交する記録材幅方向において、前記定着ニップを形成する定着ニップ形成部材に駆動力を伝達する駆動力伝達装置を設けると反対の側に、前記搬送方向矯正装置を備えることを特徴とする、請求項７ないし１５のいずれか１に記載の画像形成装置。
【請求項１７】
画像形成装置本体に位置決めして取り外し自在に取り付け、画像転写後の記録材を定着ニップに通して転写画像を記録材に定着する定着装置において、
前記画像転写後の記録材の、曲がっている記録材搬送方向を矯正する搬送方向矯正装置として、定着装置本体に対して位置調整自在に組み付ける定着側位置決め部材を備え、前記画像形成装置本体に対して取り付けるとき前記定着側位置決め部材の位置決め係合部と前記画像形成装置本体の位置決め係合部を係合して位置決めすることを特徴とする、定着装置。
【請求項１８】
画像形成装置本体に位置決めして取り外し自在に取り付け、画像転写後の記録材を定着ニップに通して転写画像を記録材に定着する定着装置において、
前記画像転写後の記録材の、曲がっている記録材搬送方向を矯正する搬送方向矯正装置として、定着装置本体に対して位置調整自在に組み付ける位置調整部材を備え、その位置調整部材で、前記定着ニップを形成する定着ニップ形成部材の軸受を保持することを特徴とする、定着装置。
【請求項１９】
画像形成装置本体に位置決めして取り外し自在に取り付け、画像転写後の記録材を定着ニップに通して転写画像を記録材に定着する定着装置において、
前記画像転写後の記録材の、曲がっている記録材搬送方向を矯正する搬送方向矯正装置として、定着装置本体に対して位置調整自在に組み付ける記録材搬送ガイドを備え、その記録材搬送ガイドの取り付け角度を調整可能とすることを特徴とする、定着装置。
【請求項２０】
画像形成装置本体に対する定着装置の取り付け角度を調整し、像担持体上の画像を転写装置で記録材に転写して後、その画像転写後の記録材を搬送して前記定着装置に入れ、その定着装置の定着ニップに通して転写画像を記録材に定着するとき、前記画像転写後の記録材の、曲がっている記録材搬送方向を前記定着装置で矯正することを特徴とする、記録材搬送方向矯正方法。
【請求項２１】
定着装置本体に対して、定着ニップを形成する定着ニップ形成部材の取り付け角度を調整し、像担持体上の画像を転写装置で記録材に転写して後、その画像転写後の記録材を搬送して定着装置に入れ、その定着装置の前記定着ニップに通して転写画像を記録材に定着するとき、前記画像転写後の記録材の、曲がっている記録材搬送方向を前記定着装置で矯正することを特徴とする、記録材搬送方向矯正方法。
【請求項２２】
定着装置の記録材搬送ガイドの取り付け角度を調整し、像担持体上の画像を転写装置で記録材に転写して後、その画像転写後の記録材を搬送して前記定着装置に入れ、前記記録材搬送ガイドで案内して前記定着ニップに通して転写画像を記録材に定着するとき、前記画像転写後の記録材の、曲がっている記録材搬送方向を前記定着装置で矯正することを特徴とする、記録材搬送方向矯正方法。
【発明の詳細な説明】
【技術分野】
【０００１】
この発明は、コピー機、プリンタ、ファクシミリまたはそれらの複合機などの画像形成装置に関する。および、そのような画像形成装置において、像担持体上の画像を転写した用紙・ＯＨＰフィルム等の記録材を定着ニップに通して転写画像を記録材に定着する定着装置に関する。および、そのようなコピー機等の画像形成装置において、画像転写後の記録材の搬送方向を矯正する記録材搬送方向矯正方法に関する。
【背景技術】
【０００２】
従来、画像形成装置の中で電子写真式のものでは、ドラム状やベルト状の感光体の回転走行とともに、その感光体上に帯電、書込みを行って静電潜像を形成して後、現像装置でトナーを付着することによりその静電潜像を可視像化してトナー画像を形成する一方、給紙カセット等から記録材を繰り出してその記録材をレジストローラでタイミングを取って転写位置へと送り込み、感光体上に形成した上記トナー画像を直接、または多くはベルト状をなす中間転写体を介して間接的に記録材に転写して後、その画像転写後の記録材を定着装置に入れ、その定着装置の定着ニップに通して熱と圧とを加えて転写画像を定着し、記録材に画像を記録している。
【０００３】
このような電子写真式の画像形成装置にあっては、転写装置として、従来のコロナ放電方式のものに比べて、オゾンの発生や窒化物等のコロナ生成物の発生がほとんどなく、しかも印加電圧を低くしてコストの低減を図ることができることから、転写ローラ方式を用いるものが近年広く採用されている。
【０００４】
この種の転写ローラ方式の転写装置では、画像品質が低下しないように転写ローラとして例えばスポンジローラを用いて、感光体や中間転写体などの像担持体に低い押圧力で押し当てていた。このため、転写装置の記録材保持力は、転写位置前後のレジストローラや定着装置よりも小さく、上流のレジストローラニップや下流の定着ニップの平行度や直角度の影響を受け、記録材の搬送方向が曲げられて画像品質が低下することがあった。
【０００５】
従来の画像形成装置の中には、例えば特許文献１に示すように、画像形成部において記録材にテストパターンを印刷して斜行調整部で斜行を調整後、光学センサでテストパターンと記録材端部との距離を測定部で測定し、基準値と比較してその比較結果から補正値を算出し、設定値を求めて記憶部に記憶し、画像形成する際に調整機構で設定値を読み出してその設定値にしたがって光半導体へのレーザ書込みタイミングを補正したり、レジストローラの軸線の傾きを補正したり、転写位置への記録材の進入角度を補正したりなど、画像形成部の各部を自動調整するものがある。
【０００６】
【特許文献１】特開２００５−１７３２６１号公報
【特許文献２】特開平６−２６６１８１号公報
【特許文献３】特開平１０−２０７１６０号公報
【特許文献３】特開２００２−２２９３４８号公報
【発明の開示】
【発明が解決しようとする課題】
【０００７】
ところが、転写ニップと定着ニップの平行度が狂っているときには、記録材の搬送方向と直交する記録材幅方向の片側が先に定着ニップに進入し、その片側の方が他側に比べて早く送られることとなる。このため、本来図１３（Ａ）に示すように画像形成されるべきところ、例えば記録材の搬送方向が右側に傾いて左側が先に定着ニップに進入したとすると、その左側の方が右側に比べて早く送られ、おおよそ転写ニップと定着ニップ間の間隔を過ぎたところから、記録材上に図１３（Ｂ）に示すような左側が伸び、右側が縮んだ画像歪みが出現することとなる。
【０００８】
特に画像転写後の記録材を縦搬送路に沿って上方に向けて搬送して定着装置に入れる画像形成装置にあっては、記録材に重力が作用して定着ニップに達していない側のたわみを大きくし、上述の画像歪みをより一層目立ちやすくしていた。特許文献１に記載の発明では、このような転写工程と定着工程間の線速差により記録材に発生する画像歪みを解消することは難しかった。
【０００９】
そこで、この発明の第１の目的は、画像転写後の記録材の搬送方向が曲がっていることにより生ずる画像歪みの発生を防止してなる画像形成装置を提供することにある。
【００１０】
この発明の第２の目的は、従来のコロナ放電方式のものに比べて、オゾンの発生や窒化物等のコロナ生成物の発生がほとんどなく、しかも印加電圧を低くしてコストの低減を図ることができる転写装置を備えた画像形成装置を提供することにある。
【００１１】
この発明の第３の目的は、転写装置として適宜材料の転写ローラを用いて適宜な押圧力で像担持体に押し当て、画像品質を維持した画像形成装置を提供することにある。
【００１２】
この発明の第４の目的は、定着ニップ形成部材で記録材を引っ張ることにより生ずる転写ずれを防止して画像品質を維持した画像形成装置を提供することにある。
【００１３】
この発明の第５の目的は、画像転写後の記録材を縦方向に搬送するタイプの画像形成装置にあって、画像転写後の記録材の搬送方向が曲がっていることにより生ずる画像歪みの発生を有効に防止することにある。
【００１４】
この発明の第６の目的は、設置平面スペースを小さくした画像形成装置を提供することにある。
【００１５】
この発明の第７の目的は、定着装置は通常ユニット化されており、そのユニット化された定着装置を画像形成装置本体に取り付けて位置決めしているが、その位置決め部材を調整することにより簡単に画像転写後の記録材の搬送方向が曲がっていることにより生ずる画像歪みの発生を防止してなる画像形成装置を提供することにある。
【００１６】
この発明の第８の目的は、定着装置側の構成部材を調整して定着装置の取り付け角度を調整することにより、簡単に画像転写後の記録材の搬送方向が曲がっていることにより生ずる画像歪みの発生を防止してなる画像形成装置を提供することにある。
【００１７】
この発明の第９の目的は、定着装置本体に対して定着側位置決め部材を位置調整し、定着装置の取り付け角度を調整することにより、簡単に画像転写後の記録材の搬送方向が曲がっていることにより生ずる画像歪みの発生を防止してなる画像形成装置を提供することにある。
【００１８】
この発明の第１０の目的は、画像形成装置本体側の構成部材を調整して定着装置の取り付け角度を調整することにより、簡単に画像転写後の記録材の搬送方向が曲がっていることにより生ずる画像歪みの発生を防止してなる画像形成装置を提供することにある。
【００１９】
この発明の第１１の目的は、本体側位置決め部材を位置調整し、定着装置の取り付け角度を調整することにより、簡単に画像転写後の記録材の搬送方向が曲がっていることにより生ずる画像歪みの発生を防止してなる画像形成装置を提供することにある。
【００２０】
この発明の第１２の目的は、定着装置本体に対して定着ニップ形成部材の取り付け角度を調整し、簡単に画像転写後の記録材の搬送方向が曲がっていることにより生ずる画像歪みの発生を防止してなる画像形成装置を提供することにある。
【００２１】
この発明の第１３の目的は、定着装置本体の構成部材を調整して定着装置本体に対して定着ニップ形成部材の取り付け角度を調整することにより、簡単に画像転写後の記録材の搬送方向が曲がっていることにより生ずる画像歪みの発生を防止してなる画像形成装置を提供することにある。
【００２２】
この発明の第１４の目的は、定着装置の位置調整部材を位置調整し、定着装置本体に対して定着ニップ形成部材の取り付け角度を調整することにより、簡単に画像転写後の記録材の搬送方向が曲がっていることにより生ずる画像歪みの発生を防止してなる画像形成装置を提供することにある。
【００２３】
この発明の第１５の目的は、定着装置の記録材搬送ガイドの取り付け角度を調整し、簡単に画像転写後の記録材の搬送方向が曲がっていることにより生ずる画像歪みの発生を防止してなる画像形成装置を提供することにある。
【００２４】
この発明の第１６の目的は、定着ニップ形成部材への駆動伝達に不具合を生じたり、またその不具合の発生を防止すべくコスト高を招いたりすることなく、搬送方向矯正装置を備え、画像転写後の記録材の搬送方向が曲がっていることにより生ずる画像歪みの発生を防止してなる画像形成装置を提供することにある。
【００２５】
この発明の第１７の目的は、定着装置本体に対して定着側位置決め部材を位置調整し、画像形成装置本体に取り付けるときの取り付け角度を調整することにより、簡単に画像転写後の記録材の搬送方向が曲がっていることにより生ずる画像歪みの発生を防止してなる定着装置を提供することにある。
【００２６】
この発明の第１８の目的は、定着装置本体に対して定着ニップ形成部材の取り付け角度を調整し、簡単に画像転写後の記録材の搬送方向が曲がっていることにより生ずる画像歪みの発生を防止してなる定着装置を提供することにある。
【００２７】
この発明の第１９の目的は、記録材搬送ガイドの取り付け角度を調整し、簡単に画像転写後の記録材の搬送方向が曲がっていることにより生ずる画像歪みの発生を防止してなる定着装置を提供することにある。
【００２８】
この発明の第２０の目的は、定着装置は通常ユニット化されており、そのユニット化された定着装置を画像形成装置本体に取り付けて位置決めしているが、その位置決め部材を調整することにより簡単に画像転写後の記録材の搬送方向が曲がっていることにより生ずる画像歪みの発生を防止してなる記録材搬送方向矯正方法を提供することにある。
【００２９】
この発明の第２１の目的は、定着装置本体に対して定着ニップ形成部材の取り付け角度を調整し、簡単に画像転写後の記録材の搬送方向が曲がっていることにより生ずる画像歪みの発生を防止してなる記録材搬送方向矯正方法を提供することにある。
【００３０】
この発明の第２２の目的は、定着装置の記録材搬送ガイドの取り付け角度を調整し、簡単に画像転写後の記録材の搬送方向が曲がっていることにより生ずる画像歪みの発生を防止してなる記録材搬送方向矯正方法を提供することにある。
【課題を解決するための手段】
【００３１】
このため、請求項１に記載の発明は、感光体や中間転写体などの像担持体上の画像を転写装置で用紙・ＯＨＰフィルム等の記録材に転写して後、その画像転写後の記録材を搬送して定着装置に入れ、その定着装置の定着ニップに通して転写画像を記録材に定着する画像形成装置において、
前記画像転写後の記録材の、曲がっている記録材搬送方向を前記定着装置で戻すように矯正する搬送方向矯正装置を備えることを特徴とする。
【００３２】
請求項２に記載の発明は、そのような請求項１に記載の画像形成装置において、前記転写装置として、感光体や中間転写体などの前記像担持体に接触して転写ニップを形成する転写ローラを用いることを特徴とする。
【００３３】
請求項３に記載の発明は、そのような請求項２に記載の画像形成装置において、転写ローラを感光体や中間転写体などの像担持体に押し当てることにより形成した前記転写ニップよりも、前記定着ニップの記録材保持力の方を大きくすることを特徴とする。
【００３４】
請求項４に記載の発明は、そのような請求項２または３に記載の画像形成装置において、前記転写ローラよりも、前記定着ニップを形成する定着ローラ・定着ベルト等の定着ニップ形成部材の線速を遅くすることを特徴とする。
【００３５】
請求項５に記載の発明は、以上のような請求項１ないし４のいずれか１に記載の画像形成装置において、画像転写後の記録材を縦搬送路に沿って縦方向上方に向けて搬送して前記定着装置に入れることを特徴とする。
【００３６】
請求項６に記載の発明は、そのような請求項５に記載の画像形成装置において、前記定着装置で画像定着後の記録材を排出する胴内排紙スタック部を備えることを特徴とする。
【００３７】
請求項７に記載の発明は、以上のような請求項１ないし６のいずれか１に記載の画像形成装置において、前記搬送方向矯正装置として、画像形成装置本体に対して前記定着装置の取り付け角度を調整可能とするものを備えることを特徴とする。
【００３８】
請求項８に記載の発明は、そのような請求項７に記載の画像形成装置において、前記定着装置側の部材を調整して、前記画像形成装置本体に対して前記定着装置の取り付け角度を調整可能とするものを備えることを特徴とする。
【００３９】
請求項９に記載の発明は、そのような請求項８に記載の画像形成装置において、前記定着装置側の部材として、定着装置本体に対して位置調整自在に組み付ける定着側位置決め部材を備え、前記定着装置を前記画像形成装置本体に対して取り付けるとき前記定着側位置決め部材の位置決め係合部と前記画像形成装置本体の位置決め係合部を係合して前記定着装置を位置決めすることを特徴とする。
【００４０】
請求項１０に記載の発明は、前述の請求項７に記載の画像形成装置において、前記画像形成装置本体側の部材を調整して、前記画像形成装置本体に対して前記定着装置の取り付け角度を調整可能とするものを備えることを特徴とする。
【００４１】
請求項１１に記載の発明は、そのような請求項１０に記載の画像形成装置において、前記画像形成装置本体側の部材として、位置調整自在に組み付ける本体側位置決め部材を備え、前記定着装置を前記画像形成装置本体に対して取り付けるとき前記本体側位置決め部材の位置決め係合部と前記定着装置の位置決め係合部を係合して前記定着装置を位置決めすることを特徴とする。
【００４２】
請求項１２に記載の発明は、上述したような請求項１ないし６のいずれか１に記載の画像形成装置において、前記搬送方向矯正装置として、定着装置本体に対して、前記定着ニップを形成する定着ニップ形成部材の取り付け角度を調整可能とするものを備えることを特徴とする。
【００４３】
請求項１３に記載の発明は、そのような請求項１２に記載の画像形成装置において、前記定着装置本体の部材を調整して、前記定着装置本体に対して前記定着ニップ形成部材の取り付け角度を調整可能とするものを備えることを特徴とする。
【００４４】
請求項１４に記載の発明は、そのような請求項１３に記載の画像形成装置において、前記定着装置の部材として、前記定着装置本体に対して位置調整自在に組み付ける位置調整部材を備え、その位置調整部材で前記定着ニップ形成部材の軸受を保持することを特徴とする。
【００４５】
請求項１５に記載の発明は、上述したような請求項１ないし６のいずれか１に記載の画像形成装置において、前記搬送方向矯正装置として、画像転写後の記録材を前記定着ニップへと案内する前記定着装置の記録材搬送ガイドの取り付け角度を調整可能とするものを備えることを特徴とする。
【００４６】
請求項１６に記載の発明は、以上のような請求項７ないし１５のいずれか１に記載の画像形成装置において、前記記録材搬送方向と直交する記録材幅方向で、前記定着ニップを形成する定着ニップ形成部材に駆動力を伝達する駆動力伝達装置を設けると反対の側に、前記搬送方向矯正装置を備えることを特徴とする。
【００４７】
請求項１７に記載の発明は、画像形成装置本体に位置決めして取り外し自在に取り付け、画像転写後の用紙・ＯＨＰフィルム等の記録材を定着ニップに通して転写画像を記録材に定着する定着装置において、
前記画像転写後の記録材の、曲がっている記録材搬送方向を矯正する搬送方向矯正装置として、定着装置本体に対して位置調整自在に組み付ける定着側位置決め部材を備え、前記画像形成装置本体に対して取り付けるとき前記定着側位置決め部材の位置決め係合部と前記画像形成装置本体の位置決め係合部を係合して位置決めすることを特徴とする。
【００４８】
請求項１８に記載の発明は、画像形成装置本体に位置決めして取り外し自在に取り付け、画像転写後の用紙・ＯＨＰフィルム等の記録材を定着ニップに通して転写画像を記録材に定着する定着装置において、
前記画像転写後の記録材の、曲がっている記録材搬送方向を矯正する搬送方向矯正装置として、定着装置本体に対して位置調整自在に組み付ける位置調整部材を備え、その位置調整部材で、前記定着ニップを形成する定着ニップ形成部材の軸受を保持することを特徴とする。
【００４９】
請求項１９に記載の発明は、画像形成装置本体に位置決めして取り外し自在に取り付け、画像転写後の用紙・ＯＨＰフィルム等の記録材を定着ニップに通して転写画像を記録材に定着する定着装置において、
前記画像転写後の記録材の、曲がっている記録材搬送方向を矯正する搬送方向矯正装置として、定着装置本体に対して位置調整自在に組み付ける記録材搬送ガイドを備え、その記録材搬送ガイドの取り付け角度を調整可能とすることを特徴とする。
【００５０】
請求項２０に記載の発明は、記録材搬送方向矯正方法であって、画像形成装置本体に対する定着装置の取り付け角度を調整し、感光体・中間転写体等の像担持体上の画像を転写装置で用紙・ＯＨＰフィルム等の記録材に転写して後、その画像転写後の記録材を搬送して前記定着装置に入れ、その定着装置の定着ニップに通して転写画像を記録材に定着するとき、前記画像転写後の記録材の、曲がっている記録材搬送方向を前記定着装置で矯正することを特徴とする。
【００５１】
請求項２１に記載の発明は、記録材搬送方向矯正方法であって、定着装置本体に対して、定着ニップを形成する定着ニップ形成部材の取り付け角度を調整し、感光体・中間転写体等の像担持体上の画像を転写装置で用紙・ＯＨＰフィルム等の記録材に転写して後、その画像転写後の記録材を搬送して定着装置に入れ、その定着装置の前記定着ニップに通して転写画像を記録材に定着するとき、前記画像転写後の記録材の、曲がっている記録材搬送方向を前記定着装置で矯正することを特徴とする。
【００５２】
請求項２２に記載の発明は、記録材搬送方向矯正方法であって、定着装置の記録材搬送ガイドの取り付け角度を調整し、感光体・中間転写体等の像担持体上の画像を転写装置で用紙・ＯＨＰフィルム等の記録材に転写して後、その画像転写後の記録材を搬送して前記定着装置に入れ、前記記録材搬送ガイドで案内して前記定着ニップに通して転写画像を記録材に定着するとき、前記画像転写後の記録材の、曲がっている記録材搬送方向を前記定着装置で矯正することを特徴とする。
【発明の効果】
【００５３】
請求項１に記載の発明によれば、画像転写後の記録材の、曲がっている記録材搬送方向を定着装置で戻すように矯正する搬送方向矯正装置を備えるので、その搬送方向矯正装置を用いて調整を行うことにより定着装置で戻して、画像転写後の記録材の搬送方向が曲がっていることにより生ずる画像歪みの発生を防止してなる画像形成装置を提供することができる。
【００５４】
請求項２に記載の発明によれば、転写装置として、前記像担持体に接触して転写ニップを形成する転写ローラを用いるので、従来のコロナ放電方式のものに比べて、オゾンの発生や窒化物等のコロナ生成物の発生がほとんどなく、しかも印加電圧を低くしてコストの低減を図ることができる転写装置を備えた画像形成装置を提供することができる。
【００５５】
請求項３に記載の発明によれば、転写ニップよりも、定着ニップの記録材保持力の方を大きくするので、転写ローラを例えばスポンジローラでつくり、像担持体に対する押し当て力を小さくして画像品質を維持した画像形成装置を提供することができる。
【００５６】
請求項４に記載の発明によれば、転写ローラよりも、定着ニップを形成する定着ニップ形成部材の線速を遅くするので、定着ニップ形成部材で記録材を引っ張ってその引っ張り力が転写位置にまで影響し、記録材を移動して転写ずれを生ずることにより発生する画像品質の低下を防止してなる画像形成装置を提供することができる。
【００５７】
請求項５に記載の発明によれば、画像転写後の記録材を縦方向上方に向けて搬送して定着装置に入れるので、記録材に重力が作用して定着ニップに達していない側のたわみを大きくし、記録材搬送方向と直交する記録材幅方向左右のタイムラグを大きくして画像歪みがより一層目立ちやすいタイプの画像形成装置にあって、搬送方向矯正装置を用いて調整を行うことにより、画像転写後の記録材の搬送方向が曲がっていることにより生ずる画像歪みの発生を防止することができる。
【００５８】
請求項６に記載の発明によれば、定着装置で画像定着後の記録材を排出する胴内排紙スタック部を備えるので、画像形成装置の胴内から突出することなく画像形成装置の設置スペース範囲内に排紙スタック部を設け、設置平面スペースを小さくした画像形成装置を提供することができる。
【００５９】
請求項７に記載の発明によれば、搬送方向矯正装置として、画像形成装置本体に対して定着装置の取り付け角度を調整可能とするものを備えるので、通常ユニット化されている定着装置を画像形成装置本体に取り付けて位置決めするとき、その位置決めを行う部材の位置調整を行うことにより画像形成装置本体に対して定着装置の取り付け角度を調整し、簡単に画像転写後の記録材の搬送方向が曲がっていることにより生ずる画像歪みの発生を防止してなる画像形成装置を提供することができる。
【００６０】
請求項８に記載の発明によれば、定着装置側の部材を調整して、画像形成装置本体に対して定着装置の取り付け角度を調整可能とするので、定着装置側の部材を位置調整して定着装置の取り付け角度を調整することにより、簡単に画像転写後の記録材の搬送方向が曲がっていることにより生ずる画像歪みの発生を防止してなる画像形成装置を提供することができる。
【００６１】
請求項９に記載の発明によれば、定着装置側の部材として、定着装置本体に対して位置調整自在に組み付ける定着側位置決め部材を備え、定着装置を画像形成装置本体に対して取り付けるときその定着側位置決め部材の位置決め係合部と画像形成装置本体の位置決め係合部を係合して定着装置を位置決めするので、定着装置本体に対して定着側位置決め部材を位置調整し、搬送方向矯正装置を用いて画像形成装置本体に対して定着装置の取り付け角度を調整することにより、簡単に画像転写後の記録材の搬送方向が曲がっていることにより生ずる画像歪みの発生を防止してなる画像形成装置を提供することができる。
【００６２】
請求項１０に記載の発明によれば、画像形成装置本体側の部材を調整して、前記画像形成装置本体に対して前記定着装置の取り付け角度を調整可能とするものを備えるので、画像形成装置本体側の部材を調整して定着装置の取り付け角度を調整することにより、簡単に画像転写後の記録材の搬送方向が曲がっていることにより生ずる画像歪みの発生を防止してなる画像形成装置を提供することができる。
【００６３】
請求項１１に記載の発明によれば、画像形成装置本体側の部材として、位置調整自在に組み付ける本体側位置決め部材を備え、定着装置を画像形成装置本体に対して取り付けるとき本体側位置決め部材の位置決め係合部と定着装置の位置決め係合部を係合して定着装置を位置決めするので、本体側位置決め部材を位置調整し、搬送方向矯正装置を用いて画像形成装置本体に対して定着装置の取り付け角度を調整することにより、簡単に画像転写後の記録材の搬送方向が曲がっていることにより生ずる画像歪みの発生を防止してなる画像形成装置を提供することができる。
【００６４】
請求項１２に記載の発明によれば、搬送方向矯正装置として、定着装置本体に対して定着ニップ形成部材の取り付け角度を調整可能とするものを備えるので、搬送方向矯正装置を用いて定着ニップ形成部材の軸線を直接移動して取り付け角度を調整し、簡単に画像転写後の記録材の搬送方向が曲がっていることにより生ずる画像歪みの発生を防止してなる画像形成装置を提供することができる。
【００６５】
請求項１３に記載の発明によれば、定着装置本体の部材を調整して、定着装置本体に対して定着ニップ形成部材の取り付け角度を調整可能とするものを備えるので、定着装置本体に対して定着ニップ形成部材の取り付け角度を調整することにより、簡単に画像転写後の記録材の搬送方向が曲がっていることにより生ずる画像歪みの発生を防止してなる画像形成装置を提供することができる。
【００６６】
請求項１４に記載の発明によれば、定着装置本体の部材として、定着装置本体に対して位置調整自在に組み付ける位置調整部材を備え、その位置調整部材で定着ニップ形成部材の軸受を保持するので、位置調整部材を位置調整し、搬送方向矯正装置を用いて定着装置本体に対して定着ニップ形成部材の取り付け角度を調整することにより、簡単に画像転写後の記録材の搬送方向が曲がっていることにより生ずる画像歪みの発生を防止してなる画像形成装置を提供することができる。
【００６７】
請求項１５に記載の発明によれば、搬送方向矯正装置として、画像転写後の記録材を定着ニップへと案内する定着装置の記録材搬送ガイドの取り付け角度を調整可能とするものを備えるので、搬送方向矯正装置を用いて定着装置の記録材搬送ガイドの取り付け角度を調整し、簡単に画像転写後の記録材の搬送方向が曲がっていることにより生ずる画像歪みの発生を防止してなる画像形成装置を提供することができる。
【００６８】
請求項１６に記載の発明によれば、記録材搬送方向と直交する記録材幅方向で、定着ニップを形成する定着ニップ形成部材に駆動力を伝達する駆動力伝達装置を設けると反対の側に、搬送方向矯正装置を備えるので、定着ニップ形成部材への駆動伝達に不具合を生じたり、またその不具合の発生を防止すべく機構を付加してコスト高を招いたりすることなく、搬送方向矯正装置を備え、画像転写後の記録材の搬送方向が曲がっていることにより生ずる画像歪みの発生を防止してなる画像形成装置を提供することができる。
【００６９】
請求項１７に記載の発明によれば、画像転写後の記録材の、曲がっている記録材搬送方向を矯正する搬送方向矯正装置として、定着装置本体に対して位置調整自在に組み付ける定着側位置決め部材を備え、画像形成装置本体に対して取り付けるとき定着側位置決め部材の位置決め係合部と画像形成装置本体の位置決め係合部を係合して位置決めするので、定着装置本体に対して定着側位置決め部材を位置調整し、搬送方向矯正装置を用いて画像形成装置本体に対して取り付けるときの取り付け角度を調整することにより、簡単に画像転写後の記録材の搬送方向が曲がっていることにより生ずる画像歪みの発生を防止してなる定着装置を提供することができる。
【００７０】
請求項１８に記載の発明によれば、画像転写後の記録材の、曲がっている記録材搬送方向を矯正する搬送方向矯正装置として、定着装置本体に対して位置調整自在に組み付ける位置調整部材を備えるので、定着装置本体に対して位置調整部材を位置調整して搬送方向矯正装置を用いて定着装置本体に対して定着ニップ形成部材の取り付け角度を調整し、簡単に画像転写後の記録材の搬送方向が曲がっていることにより生ずる画像歪みの発生を防止してなる定着装置を提供することができる。
【００７１】
請求項１９に記載の発明によれば、搬送方向矯正装置として、画像転写後の記録材を定着ニップへと案内する定着装置の記録材搬送ガイドの取り付け角度を調整可能とするものを備えるので、搬送方向矯正装置を用いて定着装置の記録材搬送ガイドの取り付け角度を調整し、簡単に画像転写後の記録材の搬送方向が曲がっていることにより生ずる画像歪みの発生を防止してなる定着装置を提供することができる。
【００７２】
請求項２０に記載の発明によれば、搬送方向矯正装置として、画像形成装置本体に対して定着装置の取り付け角度を調整可能とするものを備え、通常ユニット化されている定着装置を画像形成装置本体に取り付けて位置決めするとき、その位置決めを行う部材の位置調整を行うことにより画像形成装置本体に対して定着装置の取り付け角度を調整し、簡単に画像転写後の記録材の搬送方向が曲がっていることにより生ずる画像歪みの発生を防止してなる記録材搬送方向矯正方法を提供することができる。
【００７３】
請求項２１に記載の発明によれば、搬送方向矯正装置として、定着装置本体に対して、定着ニップを形成する定着ニップ形成部材の取り付け角度を調整可能とするものを備え、搬送方向矯正装置を用いて定着装置本体に対して定着ニップ形成部材の取り付け角度を調整し、簡単に画像転写後の記録材の搬送方向が曲がっていることにより生ずる画像歪みの発生を防止してなる記録材搬送方向矯正方法を提供することができる。
【００７４】
請求項２２に記載の発明によれば、搬送方向矯正装置として、画像転写後の記録材を定着ニップへと案内する定着装置の記録材搬送ガイドの取り付け角度を調整可能とするものを備え、搬送方向矯正装置を用いて定着装置の記録材搬送ガイドの取り付け角度を調整し、簡単に画像転写後の記録材の搬送方向が曲がっていることにより生ずる画像歪みの発生を防止してなる記録材搬送方向矯正方法を提供することができる。
【発明を実施するための最良の形態】
【００７５】
以下、図面を参照しつつ、この発明の実施の最良形態につき説明する。
図１には、画像形成装置の一例であるカラーコピー機における内部機構の全体概略構成を示す。
【００７６】
図中符号１００はコピー機本体、２００はそれを載せる給紙テーブル、３００はコピー機本体１００上に取り付けるスキャナ、４００はさらにその上に取り付ける自動原稿搬送装置（ＡＤＦ）である。
【００７７】
図示カラーコピー機のコピー機本体１００内には、ほぼ中央に感光体装置１０を備える。感光体装置１０には、複数のローラ１１に掛けまわして、像担持体としてエンドレスベルト状の感光体１２を設ける。感光体１２の表面には、有機感光層を形成してなる。感光体装置１０のまわりには、帯電装置１４、書込み装置１５、現像装置１６、中間転写装置１７、一次クリーニング装置１８などを備える。
【００７８】
帯電装置１４は、高電圧を印加することにより感光体１２の表面を一様に帯電する。書込み装置１５は、例えばスキャナ３００からの読取カラー画像信号に基づき不図示のレーザダイオードからレーザ光を発し、そのレーザ光をポリゴンミラー２０、ｆ／θレンズ２１、反射ミラー２２などを介して出射してそれぞれブラック、シアン、マゼンタ、イエロの画像信号に対応した書込みを行い、感光体１２上に静電潜像を形成する。
【００７９】
現像装置１６は、ブラック、シアン、マゼンタ、またはイエロの一成分や二成分の現像剤を収納し、それぞれ着脱自在に多段に備える。そして、選択的に感光体１２に近接し、現像ケース２４内に収納するローラ状の現像剤担持体２５を感光体１２に接触するか近接可能とする。中間転写装置１７は、複数のローラ２７と一次転写ローラ２８などに掛けまわして、像担持体であるエンドレスの中間転写ベルト２９を有する。そして、そのまわりには、記録材の縦搬送路３０を挟んで転写装置として、中間転写ベルト２９に接触して転写ニップを形成するスポンジローラ製などの二次転写ローラ３１を備え、また中間転写ベルト２９の表面を清掃する二次クリーニング装置３２を備える。
【００８０】
感光体１２の一次クリーニング装置１８には、感光体１２の表面を清掃するクリーニングブレードやクリーニングブラシなどのクリーニング部材を備えてなる。同様に、中間転写ベルト２９の二次クリーニング装置３２にも、中間転写ベルト２９の表面を清掃するクリーニングブレードやクリーニングブラシなどのクリーニング部材を備えてなる。
【００８１】
ところで、このカラーコピー機のコピー機本体１００には、底部に、出し入れ自在に記録材カセット３４を二段に重ねて取り付けてなる。また、給紙テーブル２００にも、出し入れ自在に記録材カセット３４を二段に重ねて取り付けてなる。記録材カセット３４内には、用紙・ＯＨＰフィルム等の記録材Ｐを積載して収納する。各記録材カセット３４内の記録材Ｐは、それぞれに対応して設ける給紙コロ３５の回転で上から順に繰り出して縦搬送路３０内に送り込み、搬送コロ３６で縦方向上方に向けて搬送し、レジストローラ３７でタイミングを取って中間転写ベルト２９と二次転写ローラ３１間の転写位置へと送り込む。
【００８２】
また、コピー機本体１００の側面には、手差しトレイ３８を開閉自在に備えてなる。手差しトレイ３８上には、記録材Ｐをセットし、手差し用給紙コロ３９の回転で繰り出して縦搬送路３０内に送り込み、同様に搬送コロ３６で搬送し、レジストローラ３７でタイミングを取って中間転写ベルト２９と二次転写ローラ３１間の転写位置へと送り込む。
【００８３】
縦搬送路３０の下流には、定着装置４０に続き、排紙ローラ４１を設けてなる。また、コピー機本体１００上には、定着装置４０で画像定着後の記録材Ｐを排紙ローラ４１で排出してフェイスダウンでスタックする排紙スタック部４２を設けてなる。排紙スタック部４２は、画像形成装置の胴内、つまり周囲から突出することなく外形内に設ける、いわゆる胴内排紙スタック部である。
【００８４】
さていま、このカラーコピー機でフルカラーコピーを取るときは、自動原稿搬送装置４００に原稿をセットし、不図示の操作部にあるコピースイッチを押す。すると、自動原稿搬送装置４００で原稿を搬送してその原稿の画像情報をスキャナ３００で読み取る。他方、適宜のタイミングでローラ１１・２７を回転して感光体１２および中間転写ベルト２９をそれぞれ図中矢示方向に回転走行するとともに、給紙コロ３５の１つまたは手差し用給紙コロ３９を選択的に作動して記録材Ｐを縦搬送路３０を通し、中間転写ベルト２９と二次転写ローラ３１間の転写位置に送り込む。
【００８５】
そして、帯電装置１４で感光体１２の表面を一様に帯電し、スキャナ３００からの第１色目の読取カラー画像信号に基づき書込み装置１５で書込みを行って感光体１２上に静電潜像を形成する。次いで、第１色目の現像装置１６を移動してその現像剤担持体２５を感光体１２に接触するか近接し、静電潜像と逆の電荷に帯電された現像剤を静電付着して静電潜像を可視像化し、感光体１２上に第１色目の画像を形成する。その第１色目の画像は、一次転写ローラ２８で中間転写ベルト２９上に一次転写する。
【００８６】
次いで、一次転写後に感光体１２上に残留するトナーを一次クリーニング装置１８で除去し、再び帯電装置１４で感光体１２の表面を一様に帯電し、今度はスキャナ３００からの第２色目の読取カラー画像信号に基づき書込み装置１５で書込みを行って感光体１２上に静電潜像を形成する。その後、第２色目の現像装置１６を移動して現像剤を静電付着することによりその静電潜像を可視像化し、感光体１２上に次の第２色目の画像を形成する。その第２色目の画像も、一次転写ローラ２８で第１色目の画像に重ねて中間転写ベルト２９上に一次転写する。
【００８７】
同様に第３色目の現像装置１６、第４色目の現像装置１６を用いて感光体１２上に第３色目、次いで第４色目の画像を形成し、それらの画像を各々それまでに転写した画像に重ねて一次転写し、中間転写ベルト２９上に４色合成したフルカラー画像を形成する。そして、そのフルカラー画像を二次転写ローラ３１で、現像剤と逆の電荷を印加することにより、転写位置に搬送してきた記録材Ｐに転写する。画像転写後の記録材Ｐは、定着装置４０に入れてその定着装置４０で転写画像を定着後、排紙ローラ４１で排紙スタック部４２上に排出してそこにスタックする。
【００８８】
記録材Ｐに画像転写後の中間転写ベルト２９は、二次クリーニング装置３２のクリーニング部材で転写残トナーを除去して次の画像転写に備える。
【００８９】
図２には、定着装置４０の定着装置本体４３の縦断面を示す。
図示するとおり、定着装置本体４３は、定着ケース４４で被ってなる。定着ケース４４は、図面と直交する方向に細長な箱形状で、下面の縦搬送路３０と交差する位置に入口４５、上面の縦搬送路３０と交差する位置に出口４６をあけてなる。そして、入口４５の口縁には入口ガイド４７、および出口４６の口縁には出口ガイド４８を、それぞれ内向きに、定着ケース４４で一体に形成してなる。
【００９０】
定着ケース４４内には、縦搬送路３０の片側に定着ローラ５０、加熱ローラ５１、テンションローラ５２に定着ベルト５３を掛けまわして走行可能に設ける。定着ローラ５０は、芯金の表層にシリコンスポンジやシリコンゴムなどを設けてつくる。加熱ローラ５１には、熱源５４を内蔵してなる。他方、縦搬送路３０の他側には、定着ベルト５３を介して定着ローラ５０に押し当てて定着ニップを形成するように加圧ローラ５５を設ける。なお、この例では、片側の入口ガイド４７は、上方にまで長く立ち上がる記録材搬送ガイドとし、先端を定着ニップの近くまでのばしている。
【００９１】
図３には、そのような定着装置４０の定着装置本体４３の内部を、画像形成装置の正面側斜め上から見て示す。
この図３に示すように、定着ローラ５０は、ローラ軸５７が定着ケース４４の背面側板を貫通して外側にまで突出し、その突出部分に定着ギア５８を固定してなる。また、加圧ローラ５５も、そのローラ軸５９が定着ケース４４の背面側板を貫通して外側にまで突出し、その突出部分に加圧ギア６０を固定してなり、定着ギア５８および伝達ギア６１とかみ合わせてなる。伝達ギア６１は、背面側板に立てた軸６２を中心として回転自在に設ける。これにより、定着装置本体４３の背面側に駆動力伝達装置Ｂを設ける。
【００９２】
また、定着装置本体４３の定着ケース４４の背面側板には、定着装置４０の背面側の位置決め係合部として、上下２本の位置決めピン６４を後方に向けて立てて平行に設ける。一方、正面側板には、コピー機本体１００に対して定着装置４０の取り付け角度を調整して画像転写後の記録材Ｐの、曲がっている記録材搬送方向を定着装置４０で矯正する搬送方向矯正装置Ａを設ける。
【００９３】
搬送方向矯正装置Ａとして、図示例では、定着装置本体４３の定着ケース４４の正面側板に横長な矩形板形状の定着側位置決め部材６５を重ね合わせ、定着装置本体４３に対して位置調整自在に組み付けてなる。定着側位置決め部材６５には、下部側に、定着装置４０の正面側の位置決め係合部として円形基準孔６６とその円形基準孔６６方向に横長な基準長孔６７を横に並べてあけるとともに、上部側左右端に縦方向に長い調整孔６８を互いに平行に設ける。
【００９４】
そして、両調整孔６８に取付ねじ６９を通して定着装置本体４３の定着ケース４４の正面側板にねじ付け、定着側位置決め部材６５の下部を定着ケース４４から下向きに突出した状態で取付ねじ６９をねじ付けて定着ケース４４に固定する。
【００９５】
図４には、コピー機本体１００に対する定着装置４０の取り付けを示す。図５には、その取付状態を横から見て拡大して示す。
図４および図５に示すように、コピー機本体１００の筐体７０には、背面側の位置決め係合部として円形基準孔７１とその円形基準孔７１方向に縦長な基準長孔７２を上下にあける一方、正面側の位置決め係合部として左右２本の位置決めピン７３を前方に向けて立てて横に並べて平行に設ける。
【００９６】
そして、定着装置４０を取り付けるときには、図４に示すように、カラーコピーの正面カバー７４を手前に開くとともに、右側面カバー７５を横に開き、筐体７０正面の定着装置取付窓７６から定着装置４０を挿入して不図示のガイド部材で案内し、定着装置４０の位置決めピン６４を筐体７０背面側の主の円形基準孔７１と従の基準長孔７２に各々挿入係合するとともに、定着側位置決め部材６５の主の円形基準孔６６と従の基準長孔６７に筐体７０正面側に立てる位置決めピン７３を各々挿入係合し、コピー機本体１００に対して位置決めする。
【００９７】
すると、定着装置４０の駆動力伝達装置Ｂの伝達ギア６１には、コピー機本体１００の背面側板８６に回転自在に設ける駆動ギア７７がかみ合う。そして、その駆動ギア７７を介してコピー機本体１００に設ける不図示の駆動源からの駆動力を伝達して伝達ギア６１を回転し、その伝達ギア６１を介して加圧ギア６０を回して加圧ローラ５５を回転するとともに、定着ギア５８を回して定着ローラ５０を回転し、定着ベルト５３を走行する。
【００９８】
これにより、定着時は、熱源５４で加熱ローラ５１を加熱してその熱を定着ベルト５３に伝え、画像転写後の記録材Ｐが定着ニップを通過するときその記録材Ｐに熱と圧とを加え、転写画像を有する記録材Ｐ上の画像を形成するトナーを溶融して記録材Ｐの繊維中に浸透することにより転写画像を記録材Ｐに定着する。
【００９９】
ところで、以上の図示例では、二次転写ニップを形成する二次転写ローラ３１は、上述したように、スポンジローラなどでつくって中間転写ベルト２９に低い押圧力で押し当ててなり、二次転写装置の記録材保持力を転写位置前後のレジストローラ３７や定着装置４０よりも小さくして、画像品質が低下しないようにしている。
【０１００】
また、二次転写ローラ３１よりも、定着ニップにおける定着ベルト５３や加圧ローラ５５などの定着ニップ形成部材の線速を遅くしてなる。これにより、定着ニップ形成部材で記録材Ｐを引っ張ってその引っ張り力が転写位置にまで影響し、記録材Ｐを移動して転写ずれを生ずることにより発生する画像品質の低下を防止している。
【０１０１】
さて、以上のようなカラーコピー機において、仮に図６に示すように二次転写ローラ３１が、記録材Ｐの搬送方向に直交する向きに対してθ１傾き、左側がレジストローラ３７に若干近づき、右側がレジストローラ３７から若干離れていたとすると、レジストローラ３７によりタイミングを取って送り出された記録材Ｐの左側が先に二次転写ローラ３１に到達することから、二次転写ローラ３１により左側が早く送られて記録材Ｐの搬送方向が矢印ａのように曲げられることとなる。すると、記録材Ｐの左側が先に定着ニップ形成部材８０に到達し、左側が早く送られて記録材Ｐの搬送方向がさらに曲げられ、図１３に示すような画像歪みを一層顕著なものとする。
【０１０２】
そこで、図示例のカラーコピー機にあっては、取付ねじ６９を緩めて搬送方向矯正装置Ａの定着側位置決め部材６５を上下に位置調整し、コピー機本体１００に対して定着装置４０の取り付け角度を調整する。これにより、図６に示すように定着ニップ形成部材８０を二次転写ローラ３１と逆向きにθ２傾け、画像転写後の記録材Ｐの、曲がっている記録材搬送方向ａを定着装置４０で矯正して矢印ｂのように真っ直ぐとし、図１３に示すような画像歪みの発生を防止する。
【０１０３】
以上の例では、定着装置４０側に搬送方向矯正装置Ａを設け、その搬送方向矯正装置Ａの定着側位置決め部材６５を調整して、コピー機本体１００に対して定着装置４０の取り付け角度を調整可能とした。しかし、コピー機本体１００側に搬送方向矯正装置Ａを設け、その搬送方向矯正装置Ａの部材を調整して、コピー機本体１００に対して定着装置４０の取り付け角度を調整可能としてもよい。
【０１０４】
図７には、この発明の他例であるコピー機本体１００の筐体７０の正面側を示す。
上述した例では、コピー機本体１００の筐体７０に固定的に取り付けていた２本の位置決めピン７３を、図７に示す例では、横長なピン取付台８２に取り付け、そのピン取付台８２の左右にあけた縦方向に長い調整孔８３に通す取付ねじ８４で筐体７０に固定して、位置調整自在に組み付ける。
【０１０５】
そして、定着装置４０をコピー機本体１００に対して取り付けるときは、定着装置４０を筐体７０の定着装置取付窓７６に通し、ピン取付台８２の位置決めピン７３を定着装置４０の定着ケース４４に固定的にあけた主の円形基準孔６６と従の基準長孔６７に各々挿入係合し、コピー機本体１００に対して位置決めする。コピー機本体１００に対して定着装置４０の取り付け角度を調整するときは、取付ねじ８４を緩めて筐体７０に対して、本体側位置決め部材として設けるピン取付台８２の位置を調整し、定着装置４０の正面側を上下に移動する。
【０１０６】
図７に示す例では、コピー機本体１００側の部材であるピン取付台８２を調整して定着装置４０の正面側を上下に位置調整したが、定着装置４０の背面側を位置調整するようにしてもよい。
【０１０７】
図８には、この発明のさらに他例であるコピー機本体１００の筐体７０の背面側板８６を示す。
上述した例では、コピー機本体１００の筐体７０に直接あけていた円形基準孔７１と基準長孔７２を、この図８に示す例では、基準孔形成板８７に設け、その基準孔形成板８７の左右にあけた縦方向に長い調整孔８８に通す取付ねじ８９で背面側板８６に固定して、位置調整自在に組み付ける。そして、コピー機本体１００に対して定着装置４０の取り付け角度を調整するときは、取付ねじ８９を緩めて背面側板８６に対して、本体側位置決め部材として設ける基準孔形成板８７の位置を上下に調整する。
【０１０８】
以上のとおり、搬送方向矯正装置Ａは、定着装置４０の正面側に備えてもよいし、背面側に備えてもよいし、また正面側および背面側の双方に備えてもよい。しかし、例えば図８に示すように、記録材Ｐの搬送方向と直交する記録材幅方向で、定着ニップを形成する定着ベルト５３や加圧ローラ５５などの定着ニップ形成部材に駆動力を伝達する駆動力伝達装置Ｂを設ける側に備えると、定着ニップ形成部材への駆動伝達に不具合を生じたり、またその不具合の発生を防止すべく機構を付加してコスト高を招いたりすることとなる。よって、搬送方向矯正装置Ａは、駆動力伝達装置Ｂを設けると反対の側に備えることが好ましい。
【０１０９】
図９には、定着装置４０の内部構成を示し、図１０には、この発明のまたさらに他例の定着装置４０を正面から見て示す。
図９に示すように、定着ローラ５０のローラ軸５７、加圧ローラ５５のローラ軸５９、および加熱ローラ５１のローラ軸９０の両端には、それぞれ軸受９１、９２、９３を設けてなる。
【０１１０】
そして、定着装置４０の背面側に設ける軸受９１、９２、９３は、それぞれ現像ケース４４の背面側で保持する。他方、加熱ローラ５１のローラ軸９０の正面側に設ける軸受９３は、現像ケース４４の正面側で保持するものの、定着ローラ５０のローラ軸５７の正面側に設ける軸受９１および加圧ローラ５５のローラ軸５９の正面側に設ける軸受９２は、定着装置本体４３に対して位置調整自在に組み付ける板形状の位置調整部材９４で保持する。位置調整部材９４には、両端部に縦方向に長い調整孔９５をあける。そして、その調整孔９５を貫通する取付ねじ９６で、定着ケース４４に固定してなる。
【０１１１】
これにより、搬送方向矯正装置Ａを定着装置４０に備え、位置調整部材９４を位置調整し、搬送方向矯正装置Ａを用いて定着装置本体４３に対して定着ニップ形成部材である定着ローラ５０および加圧ローラ５５の取り付け角度を調整することにより、簡単に画像転写後の記録材の搬送方向が曲がっていることにより生ずる画像歪みの発生を防止することができる。
【０１１２】
図１１には、この発明のまたさらに他例の定着装置４０の内部機構を示し、図１２には、その定着装置４０を正面から見て示す。
【０１１３】
この例では、片側の入口ガイドである記録材搬送ガイド４７を定着ケース４４と別体につくり、その独立した記録材搬送ガイド４７の両端から折り曲げて取付片９７を一体に形成する。他方、定着ケース４４の正面および背面には、縦方向に長い調整孔９８をあける。そして、その調整孔９８に通した取付ねじ９９の先端を取付片９７にねじ付け、定着ケース４４内に記録材搬送ガイド４７を位置調整自在に備えて搬送方向矯正装置Ａとする。
【０１１４】
これにより、定着ニップの傾きを調整するのみならず、取付ねじ９９を緩めて画像転写後の記録材Ｐを定着ニップへと案内する定着装置４０の記録材搬送ガイド４７の取り付け角度を調整することによっても、この搬送方向矯正装置Ａを用いて、記録材Ｐを案内する記録材搬送ガイド４７の取り付け角度を調整することで、簡単に画像転写後の記録材Ｐの搬送方向が曲がっていることにより生ずる画像歪みの発生を防止することができる。
【０１１５】
なお、上述した例では、搬送方向矯正装置Ａにおいて、定着側位置決め部材６５、本体側位置決め部材であるピン取付台８２や基準孔形成板８７、位置調整部材９４、記録材搬送ガイド４７などの位置調整可能に、縦方向に長い調整孔６８、８３、８８、９５、９８とそれに挿通する取付ねじ６９、８４、８９、９６、９９を設けた。しかし、もちろんこの例に限らず、例えば複数のねじ孔を設けて適宜選択的にそれらのねじ孔の１つに取付ねじをねじ付け、調整後の定着側位置決め部材６５等の位置を固定するようにしてもよい。また、定着側位置決め部材６５等の位置は、偏心カム等を用いて微妙に調整するようにしてもよい。
【図面の簡単な説明】
【０１１６】
【図１】画像形成装置の一例であるカラーコピー機における内部機構の全体概略構成図である。
【図２】そのカラーコピー機に備える定着装置の定着装置本体の縦断面図である。
【図３】そのような定着装置本体の内部を、画像形成装置の正面側斜め上から見て示す斜視図である。
【図４】そのコピー機本体に対する定着装置の取り付けを示す斜視図である。
【図５】その取付状態を横から見て拡大して示す説明図である。
【図６】そのようなカラーコピー機における記録材の搬送方向矯正方法を説明する図である。
【図７】この発明の他例であるコピー機本体の筐体を正面側から見た斜視図である。
【図８】この発明のさらに他例であるコピー機本体の筐体の背面側板を正面側から見た斜視図である。
【図９】定着装置の内部構成図である。
【図１０】この発明のまたさらに他例の定着装置の正面図である。
【図１１】この発明のまたさらに他例の定着装置の内部機構図である。
【図１２】その定着装置を正面図である。
【図１３】（Ａ）は画像歪みがない画像が形成された記録材の平面図、（Ｂ）は画像歪みがある画像が形成された記録材の平面図である。
【符号の説明】
【０１１７】
２９    中間転写ベルト（像担持体）
３０    縦搬送路
３１    二次転写ローラ（二次転写装置）
４０    定着装置
４２    胴内排紙スタック部
４３    定着装置本体
４４    定着ケース
４７    記録材搬送ガイド（入口ガイド）
５０    定着ローラ
５３    定着ベルト
５５    加圧ローラ
６４    定着装置の位置決めピン（定着装置の位置決め係合部）
６５    定着側位置決め部材
６６    定着側位置決め部材の円形基準孔（定着側位置決め部材の位置決め係合部）
６７    定着側位置決め部材の基準長孔（定着側位置決め部材の位置決め係合部）
６８    調整孔
６９    取付ねじ
７１    本体側位置決め部材の円形基準孔（本体側位置決め部材の位置決め係合部）
７２    本体側位置決め部材の基準長孔（本体側位置決め部材の位置決め係合部）
７３    コピー機本体の位置決めピン（画像形成装置本体の位置決め係合部）
８２    ピン取付台（本体側位置決め部材）
８３    調整孔（本体側位置決め部材の位置決め係合部）
８４    取付ねじ
８７    基準孔形成板（本体側位置決め部材）
８８    調整孔（本体側位置決め部材の位置決め係合部）
８９    取付ねじ
９１    軸受
９３    軸受
９４    位置調整部材
９５    調整孔
９６    取付ねじ
９８    調整孔
９９    取付ねじ
１００    コピー機本体（画像形成装置本体）
Ａ      搬送方向矯正装置
Ｂ      駆動力伝達装置
Ｐ      記録材
【図１】
2007193087.tif 000003
【図２】
2007193087.tif 000004
【図３】
2007193087.tif 000005
【図４】
2007193087.tif 000006
【図５】
2007193087.tif 000007
【図６】
2007193087.tif 000008
【図７】
2007193087.tif 000009
【図８】
2007193087.tif 000010
【図９】
2007193087.tif 000011
【図１０】
2007193087.tif 000012
【図１１】
2007193087.tif 000013
【図１２】
2007193087.tif 000014
【図１３】
2007193087.tif 000015